(57)【要約】【課題】画像形成装置内の定着装置又は搬送路中における記録紙の搬送状態を容易に検知してジャム処理を容易に行うことができる画像形成装置を提供する。【解決手段】潜像を形成する感光体と、潜像を現像する現像装置と、感光体から現像されたトナー像を記録紙に転写する転写装置と、記録紙上のトナー像を定着する定着装置１９とを画像形成装置において、前記画像形成装置は、搬送路における記録紙の位置を検知する記録紙検知センサ１０と、搬送路における記録紙の位置を表示する記録紙状態表示灯２２とを画像形成装置の内部に設け、さらに、画像形成装置を動作する電源２から独立した電源１３で動作している画像形成装置である。【選択図】      図５
2004170442.tif 000002
【特許請求の範囲】
【請求項１】
潜像を形成する感光体と、潜像を現像する現像装置と、感光体から現像されたトナー像を記録紙に転写する転写装置と、記録紙上のトナー像を定着する定着装置とを画像形成装置において、
前記画像形成装置は、搬送路における記録紙の位置を検知する記録紙検知センサと、
搬送路における記録紙の位置を表示する記録紙状態表示灯とを、画像形成装置の内部に設ける
ことを特徴とする画像形成装置。
【請求項２】
請求項１に記載の画像形成装置において、
前記記録紙検知センサと記録紙状態表示灯とが、画像形成装置を動作する電源から独立した電源で動作している
ことを特徴とする画像形成装置。
【請求項３】
請求項１又は２に記載の画像形成装置において、
前記画像形成装置は、記録紙が搬送路中で紙詰まりしたときに、記録紙状態表示灯が点滅する
ことを特徴とする画像形成装置。
【請求項４】
請求項３に記載の画像形成装置において、
前記画像形成装置は、記録紙が搬送路中で紙詰まりしたときに、警告音が鳴る
ことを特徴とする画像形成装置。
【請求項５】
請求項３又は４に記載の画像形成装置において、
前記画像形成装置は、記録紙が搬送路中で紙詰まりした位置の記録紙状態表示灯が点滅する
ことを特徴とする画像形成装置。
【請求項６】
請求項１ないし５のいずれかに記載の画像形成装置において、
前記画像形成装置は、搬送路中で紙詰まりした記録紙が除去されたことを表示する記録紙状態表示灯を設ける
ことを特徴とする画像形成装置。
【請求項７】
請求項１ないし６のいずれかに記載の画像形成装置において、
前記画像形成装置は、搬送路中で紙詰まりした記録紙が除去されたことを示す完了音を鳴らす
ことを特徴とする画像形成装置。
【請求項８】
請求項１ないし５のいずれかに記載の画像形成装置において、
前記画像形成装置は、定着装置に定着ローラを強制的に回転させるノブを設け、
かつ、記録紙が定着装置内で紙詰まりしたときに、記録紙を取り除くためのノブの回転数を表示する記録紙状態表示灯を設ける
ことを特徴とする画像形成装置。
【請求項９】
請求項８に記載の画像形成装置において、
前記画像形成装置は、定着装置内で紙詰まりした記録紙が除去されたことを表示する記録紙状態表示灯を設ける
ことを特徴とする画像形成装置。
【請求項１０】
請求項８又は９に記載の画像形成装置において、
前記画像形成装置は、定着装置内で紙詰まりした記録紙が除去されたことを示す完了音を鳴らす
ことを特徴とする画像形成装置。
【発明の詳細な説明】
【０００１】
【発明の属する技術分野】
本発明は、複写機、ファクシミリ、プリンター又はこれらの機能を併用した多機能複写機等の静電複写プロセスの画像形成装置に関するものである。さらに詳細には、記録紙の搬送路中における搬送状態を表示する記録紙状態表示灯を設ける画像形成装置に関するものである。
【０００２】
【従来の技術】
複写機等を操作する使用者は、紙詰まりの記録紙を除去する処理（ジャム処理）する場合、操作表示部に表示される紙詰まりの発生している装置及びその処理手順の情報を見ながら該当する装置に近づいてジャム処理を行う。この操作表示部は、操作する使用者の腰よりも高い位置にあり、複数の装置は、使用者の腰よりも低い位置にあるため、使用者にとっては、ジャム処理を行う際紙詰まりの発生及び終了を操作表示部で確認するとき、立ったりしゃがんだりする必要がありその頻度が多くなると、ジャム処理に重労働が伴っていた。
【０００３】
そこで、特許文献１では、以下に示す画像形成装置が開示されている。画像形成装置本体の上部の操作盤上の液晶ディスプレイ装置を標準位置から取り外せるようにし、例えばフックを設けて前扉の上部に引っ掛けられるようにする。また、延長コードによりディスプレイ装置を取り外したときでもディスプレイ画面の表示内容が消えないようにする。これにより、ジャム処理時などには、ディスプレイ画面に表示されている処理手順を見ながら処理を行うことができる。しかしながら、ジャム処理時に、ディスプレイ装置を移動させなければならず、使用者のジャム処理を軽減されていないという問題点がある。
また、特許文献２では、複写機能を有する本体の前面に紙詰まり表示用の表示部を設けた複写装置が開示されている。これによって、紙詰まりが発生したときに本体の前面に設けた表示部にその紙詰まり発生箇所が模式的に表示点灯されるので、使用者が遠く離れていても的確に紙詰まり位置を把握して対応がとれる。しかしながら、通常の複写処理時に表示部が見にくくなるという問題点がある。また、従来の複写機等を操作する使用者は、ジャム処理が終了したか否かを確認する場合、引き出した装置を再び装置本体に差し込んで、装置本体と装置が正常に通電した後でなければ、ジャム処理が終了したことを確認することができないという問題点がある。
【０００４】
また、定着装置ではジャム処理を行う時に、ノブを回転させ装置内のローラを回転させることによって記録紙を前方に送ることにより装置内に残された記録紙の取り除きを行うが、取り除くまでにノブを何回転させるかわからなかった。また、定着装置では紙詰まりした記録紙のジャム処理を行う時に、ノブを回転させ装置内のローラを回転させることによって記録紙を前方に送ることにより装置内に残された記録紙の取り除きを行う。定着装置が原因で紙詰まりが生じた場合、記録紙が破損している場合がありその場合ノブを回すことによりさらに記録紙が破損する場合がある。使用者は定着装置の必要な箇所を開いて転写紙を除去しなくてはならないという問題点がある。
【０００５】
【特許文献１】
特開平８−３９８９４号公報
【特許文献２】
特開平８−１４６８３６号公報
【０００６】
【発明が解決しようとする課題】
そこで、本発明は、上記事情に鑑みてなされたものであり、画像形成装置内の記録紙の搬送路における搬送状態を容易に検知してジャム処理を容易に行うことができる画像形成装置を提供することを課題とする。また、定着装置内の記録紙の搬送状態を容易に検知してジャム処理を容易に行うことができる画像形成装置を提供することを課題とする。
【０００７】
【課題を解決するための手段】
上記課題を達成するために、請求項１に記載の発明は、潜像を形成する感光体と、潜像を現像する現像装置と、感光体から現像されたトナー像を記録紙に転写する転写装置と、記録紙上のトナー像を定着する定着装置とを画像形成装置において、前記画像形成装置は、搬送路における記録紙の位置を検知する記録紙検知センサと、搬送路における記録紙の位置を表示する記録紙状態表示灯とを、画像形成装置の内部に設ける画像形成装置である。
請求項２に記載の発明は、請求項１に記載の画像形成装置において、前記記録紙検知センサと記録紙状態表示灯とが、画像形成装置を動作する電源から独立した電源で動作している画像形成装置である。
請求項３に記載の発明は、請求項１又は２に記載の画像形成装置において、前記画像形成装置は、記録紙が搬送路中で紙詰まりしたときに、記録紙状態表示灯が点滅する画像形成装置である。
請求項４に記載の発明は、請求項３に記載の画像形成装置において、前記画像形成装置は、記録紙が搬送路中で紙詰まりしたときに、警告音が鳴る画像形成装置である。
請求項５に記載の発明は、請求項３又は４に記載の画像形成装置において、前記画像形成装置は、記録紙が搬送路中で紙詰まりした位置の記録紙状態表示灯が点滅する画像形成装置である。
【０００８】
請求項６に記載の発明は、請求項１ないし５のいずれかに記載の画像形成装置において、前記画像形成装置は、搬送路中で紙詰まりした記録紙が除去されたことを表示する記録紙状態表示灯を設ける画像形成装置である。
請求項７に記載の発明は、請求項１ないし６のいずれかに記載の画像形成装置において、前記画像形成装置は、搬送路中で紙詰まりした記録紙が除去されたことを示す完了音を鳴らす画像形成装置である。
【０００９】
請求項８に記載の発明は、請求項１ないし５のいずれかに記載の画像形成装置において、前記画像形成装置は、定着装置に定着ローラを強制的に回転させるノブを設け、かつ、記録紙が定着装置内で紙詰まりしたときに、記録紙を取り除くためのノブの回転数を表示する記録紙状態表示灯を設ける画像形成装置である。請求項９に記載の発明は、請求項８に記載の画像形成装置において、前記画像形成装置は、定着装置内で紙詰まりした記録紙が除去されたことを表示する記録紙状態表示灯を設ける画像形成装置である。
請求項１０に記載の発明は、請求項８又は９に記載の画像形成装置において、前記画像形成装置は、定着装置内で紙詰まりした記録紙が除去されたことを示す完了音を鳴らす画像形成装置である。
【００１０】
【発明の実施の形態】
以下に、本発明の実施の形態を図面に基づいて説明する。
図１は、本発明に係わる１の実施形態の画像形成装置としての複写機の構成を示すブロック図である。図１において、１は商用電源ＡＣ１００Ｖとの接続コンセント、２はＤＣ電源装置であ。３はＣＰＵ、４はＲＯＭでＣＰＵが実行するプログラムが格納されている。５はＲＡＭで、３のＣＰＵはアクセスできる。画像形成に必要な各装置７、定着装置１９は入出力インターフェイスを介してＣＰＵ３につながっていて各装置の状態を監視することができる。６は操作部で操作部上のスイッチにおける入力信号は３のＣＰＵに送られ処理され、画像形成装置の状態がＣＰＵ３から操作部６に送られ操作部表示部１８に表示される。
【００１１】
図２は、紙詰まり状態を表示する記録紙検知センサ及び記録紙状態表示灯の構成を示す概略図である。記録紙検知センサ１０・記録紙状態表示灯２２は定着装置１９に設置する。記録紙検知センサ１０は搬送路に複数設置する。９は記録紙、１０は記録紙検知センサ、１２はＬＥＤ、１３はコンデンサ又は充電可能な電池である。ここでは定着装置１９に設ける実施形態を示すが、これらは、記録紙の搬送路中に設けられるものであっても良い。
通常時、電源は内部コネクタ１５を通して本体から送られてきて、記録紙検知センサ１０からの信号は本体に送られる。記録紙検知センサ１０は定着装置１９内の紙搬送路に複数箇所置かれ、記録紙が通るたびに記録紙検知センサ１０は記録紙があると認識しＬＥＤ１２が点灯し、ＣＰＵ３に信号を送る。他の装置で紙詰まりが発生すると定着装置１９内の紙をすぐに停止する。定着装置１９内に紙があると記録紙検知センサ１０は検知し、ＬＥＤ１２が点灯し、ＣＰＵ３に信号を送る。ＣＰＵ３はある一定期間この信号を入力されると、送られてきた箇所に紙が残っていると処理をし、操作部表示部に装置内に紙が残っていることを表示する。
【００１２】
また、使用者は、画像形成装置の前扉２１を開け操作部表示部１８に表示された箇所を見てジャム処理を行う。また、前扉２１を開けたときは定着装置１９の紙面状態表示灯２２を見て使用者はジャム処理を行う。他の装置で紙詰まりが発生しないのに定着装置１９内に紙があると判断されたときは、定着装置１９が原因となる紙詰まりが発生したと判断し、ＬＥＤ１２を点滅させブザー２６を鳴らす。使用者は画像形成装置の前扉２１を開け操作部表示部１８に表示された箇所を見てジャム処理を行う。前扉２１を開けたときは定着装置１９での紙面状態表示灯２２と定着装置１９の開閉において必要な箇所の表示灯を見て使用者はジャム処理を行う。
【００１３】
図３は、画像形成装置のジャム処理時の外観図である。定着装置１９の前面に記録紙状態表示灯２２がある。使用者は、複数の状態表示灯を見ることにより、本体内の記録紙の位置を判断することができる。ジャム処理中は紙詰まりが発生した定着装置１９を本体から引き出し、それによって本体と接続されているコネクタ１５がはずれ、電源と信号が切断される。記録紙検知センサ１０・記録紙状態表示灯２２は電池１３を備えているので引き出された際にも紙詰まり箇所を使用者に表示し、ジャム処理が完了したらＬＥＤ１２を消し使用者に完了したことを表示する。使用者は定着装置１９内の紙を取り除く作業として、定着装置１９前面のノブ２４を回すことにより、定着装置１９内のローラー２６を手動で回すことにより紙を搬送路の上流に送ることができ、紙を定着装置１９から送り出すことができる。紙を送り進める事によって状態表示ＬＥＤ１２が消えていき、全てのＬＥＤ１２が消えたことにより定着装置１９内から紙がなくなったと判断でき、使用者はそこでノブ２４を回すことを止める判断となる。定着装置１９が原因の紙詰まりではＬＥＤ１２が点滅、警告音がなり、使用者にノブ２４を回さないように警告する。さらに定着装置１９の開閉に必要な箇所の記録紙状態表示灯２２を点滅させ、使用者に定着装置１９の内部を開くように促す。
【００１４】
図４は、画像形成装置の定着装置内の搬送路内のローラー、記録紙状態表示灯の配置の概略図である。記録紙検知センサ１０付近に紙があれば、記録紙検知センサ１０は検知して記録紙があると判断する。記録紙検知センサ１０において紙がある判断から無い判断になったときに、記録紙検知センサ１０付近を紙の後端が通過したと判断する。また各記録紙検知センサ１０の情報はコネクタ３１を通して本体に送信される。あらかじめ各記録紙検知センサ１０から装置内搬送路の終端までの距離からノブ２４の回転数を用意し、装置の回転数表示灯２８に回転数を表示する。
装置内の搬送路の終端にある記録紙検知センサ１０が記録紙あるから無い判断になったときに完了音をブザー３２で鳴らす。
【００１５】
図５は、画像形成装置の定着装置の概略図である。紙詰まり発生時定着装置１９内に記録があれば紙面状態表示灯２２が点灯し、使用者は定着装置１９を引き出す。定着装置１９は内部の記録紙を取り除くことができるように上部が開くことができる。他の装置で紙詰まりが生じたときに、記録紙が定着装置内１９にあれば紙面状態表示灯２２が点灯し、ノブ２４をまわして記録紙を送り出すことができる。紙面状態表示灯２２が点滅しているときは、定着装置１９内で紙詰まりが生じたため、ノブ２４で回しても送り出すことができなかったり記録紙が破れる可能性がある。これを防ぐために開く必要がある箇所の開表示灯３３を点滅させ使用者に開くよう促す。
【００１６】
【発明の効果】
以上説明したように、本発明の画像形成装置では、検知表示手段から装置内の記録紙の位置を示すことができるので、使用者は、座った状態で装置を装置本体から引き出し、ジャム処理の終了確認を行うことができ、また装置内の記録紙を取り除くためのノブをいつまで回すか検知表示手段から判断することができ、その結果、使用者にとってジャム処理に重労働が伴うことがない。従来のように、ジャム処理を座って行い、ジャム処理の終了を立った状態で操作表示部を見て確認する必要がなく、定着装置から記録紙が取り除けたか装置を引き出して判断する必要がなくなる。また、装置本体の電源から独立して電力が蓄積する電源を用いることで、定着装置等が装置本体から引き出された状態で、電力を供給することにより検知表示手段が搬送手段の搬送状態を検知することができる。
【００１７】
さらに、ジャム処理時に定着装置又は搬送路内で紙詰まりが発生したときに、紙詰まり箇所は紙面状態表示灯が点滅し、ブザーで警告音がなることで、利便性が高まる。また、ジャム処理時に定着装置又は搬送路内で紙詰まりが発生したときに定着装置で開閉に必要な箇所の表示灯を点滅させる装置を設けたことで、使用者が定着装置のどの部分を開けて内部の記録紙を取り除けばいいか一目でわかり、利便性が高まる。
また、ジャム処理時に定着装置内の記録紙を取り除くためのノブを回す回数を表示する表示灯を設けたことで、使用者にジャム処理のための情報を増やすことができ、利便性が高まる。さらに、ジャム処理時に定着装置内の記録紙を取り除くためのノブを回転させる必要がなくなったときに完了音がなる装置を設けたことで、使用者にジャム処理のための情報を増やすことができ、利便性が高まる。また、本発明の画像形成装置では、定着装置を装置本体から引き出し、ジャム処理の終了確認を行うことができる。また、ノブによる除去をしない場合は開表示灯を見て定着装置の必要な装置を開いて定着装置内の記録紙を手で取り出すことができるので利便性が高まる。
【図面の簡単な説明】
【図１】本発明に係わる１の実施形態の画像形成装置としての複写機の構成を示すブロック図である。
【図２】紙詰まり状態を表示する記録紙検知センサ及び記録紙状態表示灯の構成を示す概略図である。
【図３】画像形成装置のジャム処理時の外観図である。
【図４】画像形成装置の定着装置内の搬送路内のローラー、記録紙状態表示灯の配置の概略図である。
【図５】画像形成装置の定着装置の概略図である。
【符号の説明】
１  電源プラグ
２  電源
３  ＣＰＵ
４  ＲＯＭ
５  ＲＡＭ
６  操作部
７  各装置
８  定着装置
９  記録紙
１０  記録紙検知センサ
１１  抵抗
１２  ＬＥＤ
１３  コンデンサ又は電池
１４  ＬＥＤ点滅用回路
１５  内部コネクタ
１６  搬送ローラー
１７  画像形成装置
１８  操作部表示部
１９  定着装置
２１  前扉
２２  紙面状態表示灯
２３  定着装置引き出しハンドル
２４  ノブ
２６  ローラー
２７  記録紙
２８  回転数表示灯
２９  ブザー
３０  表示・ブザー音発生回路
３１  内部コネクタ
３２  ブザー
３３  開表示灯
【図１】
2004170442.tif 000003
【図２】
2004170442.tif 000004
【図３】
2004170442.tif 000005
【図４】
2004170442.tif 000006
【図５】
2004170442.tif 000007